(57)【特許請求の範囲】
【請求項１】
基部と、
前記基部の一端部で、前記基部に回動自在に設けられており、団扇太鼓の外周部の所定の部位を保持する第１の保持部と、
前記基部の他端部で、前記第１の保持部の回動中心軸と平行に延びている軸まわりで前記基部に回動自在に設けられており、前記団扇太鼓の外周部の他の所定の部位を保持する第２の保持部とを有し、
前記第１の保持部は、第１の爪部材と第２の爪部材とネジ部材とを備えており、前記第１の保持部の前記第１の爪部材は前記基部に対して上記回動をするようになっており、前記第１の保持部の前記第１の爪部材は第１の爪部を備えており、前記第１の保持部の前記第２の爪部材は第２の爪部を備えており、前記第１の保持部の前記ネジ部材は前記第１の保持部の前記第１の爪部材と前記第１の保持部の前記第２の爪部材とに係合しており、前記第１の保持部の前記ネジ部材が回転することで、前記第１の保持部の前記第２の爪部が前記第１の保持部の前記第１の爪部に対して接近する方向もしくは離れる方向に移動するように構成されており、
前記第２の保持部は、第１の爪部材と第２の爪部材とネジ部材とを備えており、前記第２の保持部の前記第１の爪部材は前記基部に対して上記回動をするようになっており、前記第２の保持部の前記第１の爪部材は第１の爪部を備えており、前記第２の保持部の前記第２の爪部材は第２の爪部を備えており、前記第２の保持部の前記ネジ部材は前記第２の保持部の前記第１の爪部材と前記第２の保持部の前記第２の爪部材とに係合しており、前記第２の保持部の前記ネジ部材が回転することで、前記第２の保持部の前記第２の爪部が前記第２の保持部の前記第１の爪部に対して接近する方向もしくは離れる方向に移動するように構成されていることを特徴とする団扇太鼓の脚。
【請求項２】
請求項１に記載の団扇太鼓の脚において、
前記団扇太鼓は、円環体状の枠体と、この枠体に張設されている革とで、円板状に形成されており、
前記各保持部は、前記枠体を、前記枠体の外周を覆っている革の部位を間に挟んで押圧することで、前記団扇太鼓を保持するように構成されていることを特徴とする団扇太鼓の脚。
【請求項３】
請求項１または請求項２に記載の団扇太鼓の脚において、
前記基部には、前記各保持部で前記団扇太鼓を保持しているときに前記団扇太鼓の外周部の所定の部位が嵌り込むための溝が設けられていることを特徴とする団扇太鼓の脚。
【発明の詳細な説明】
【技術分野】
【０００１】
本発明は、団扇太鼓の脚に係り、特に、円形状の団扇太鼓に設置して使用されるものに関する。
【背景技術】
【０００２】
団扇太鼓は、円形の枠体に（トーラス状の枠体の円形状の内側部位に）１枚の膜を張った太鼓であり、たとえば、寺院等で題目を上げるときに、バチ等で叩くことで使用されるものである。団扇太鼓は、一般の太鼓と異なり、胴が付いておらず、形状が扇に似ている。
【０００３】
従来の一般的な団扇太鼓には、使用者が保持するための柄が一体で設けられており、使用時には、円形状（円板状）の本体部から外側に突出している柄が保持され、円形状の本体部の内側の膜をバチで叩いて音を発生させる。
【０００４】
ところで、柄が設けられていないことで円板状に形成されている団扇太鼓も知られている（たとえば特許文献１参照）。
【０００５】
特許文献１の記載の団扇太鼓は、台に設置されて使用される。上記台には、団扇太鼓の外周の曲率半径とほぼ等しい曲率半径の凹状で円弧状の溝が設けられている。そして、凹状で円弧状の溝に、団扇太鼓の外周の一部を嵌めた状態で使用される。
【先行技術文献】
【特許文献】
【０００６】
【特許文献１】特開２００３−１４０６４２号公報
【発明の概要】
【発明が解決しようとする課題】
【０００７】
ところで、特許文献１の記載の従来の団扇太鼓の台（脚）は、凹状で円弧状の溝の曲率半径が一定になっているので、円板状の団扇太鼓の直径（大径）が変わる毎に、台を別途用意しなければ、様々な直径の円板状の団扇太鼓を設置することができないという問題がある。
【０００８】
本発明は、上記問題点に鑑みてなされたものであり、円板状に形成されている団扇太鼓の直径が変わった場合でも、円板状の団扇太鼓を設置することができる団扇太鼓の脚を提供することを目的とする。
【課題を解決するための手段】
【０００９】
請求項１に記載の発明は、基部と、前記基部の一端部で、前記基部に回動自在に設けられており、団扇太鼓の外周部の所定の部位を保持する第１の保持部と、前記基部の他端部で、前記第１の保持部の回動中心軸と平行に延びている軸まわりで前記基部に回動自在に設けられており、前記団扇太鼓の外周部の他の所定の部位を保持する第２の保持部とを有し、前記第１の保持部は、第１の爪部材と第２の爪部材とネジ部材とを備えており、前記第１の保持部の前記第１の爪部材は前記基部に対して上記回動をするようになっており、前記第１の保持部の前記第１の爪部材は第１の爪部を備えており、前記第１の保持部の前記第２の爪部材は第２の爪部を備えており、前記第１の保持部の前記ネジ部材は前記第１の保持部の前記第１の爪部材と前記第１の保持部の前記第２の爪部材とに係合しており、前記第１の保持部の前記ネジ部材が回転することで、前記第１の保持部の前記第２の爪部が前記第１の保持部の前記第１の爪部に対して接近する方向もしくは離れる方向に移動するように構成されており、前記第２の保持部は、第１の爪部材と第２の爪部材とネジ部材とを備えており、前記第２の保持部の前記第１の爪部材は前記基部に対して上記回動をするようになっており、前記第２の保持部の前記第１の爪部材は第１の爪部を備えており、前記第２の保持部の前記第２の爪部材は第２の爪部を備えており、前記第２の保持部の前記ネジ部材は前記第２の保持部の前記第１の爪部材と前記第２の保持部の前記第２の爪部材とに係合しており、前記第２の保持部の前記ネジ部材が回転することで、前記第２の保持部の前記第２の爪部が前記第２の保持部の前記第１の爪部に対して接近する方向もしくは離れる方向に移動するように構成されている団扇太鼓の脚である。
【００１０】
請求項２に記載の発明は、請求項１に記載の団扇太鼓の脚において、前記団扇太鼓は、円環体状の枠体と、この枠体に張設されている革とで、円板状に形成されており、前記各保持部は、前記枠体を、前記枠体の外周を覆っている革の部位を間に挟んで押圧することで、前記団扇太鼓を保持するように構成されている団扇太鼓の脚である。
【００１１】
請求項３に記載の発明は、請求項１または請求項２に記載の団扇太鼓の脚において、前記基部には、前記各保持部で前記団扇太鼓を保持しているときに前記団扇太鼓の外周部の所定の部位が嵌り込むための溝が設けられている団扇太鼓の脚である。
【発明の効果】
【００１２】
本発明によれば、円板状に形成されている団扇太鼓の直径が変わった場合でも、円板状の団扇太鼓を設置することができるという効果を奏する。
【図面の簡単な説明】
【００１３】
【図１】団扇太鼓に本発明の実施形態に係る団扇太鼓の脚を設置した状態を示す斜視図である。
【図２】本発明の実施形態に係る団扇太鼓の脚の斜視図である。
【図３】本発明の実施形態に係る団扇太鼓の脚の正面図である。
【図４】本発明の実施形態に係る団扇太鼓の脚の平面図であって図３におけるＩＶ矢視図である。
【図５】本発明の実施形態に係る団扇太鼓の脚の側面図であって図３におけるＶ矢視図である。
【図６】本発明の実施形態に係る団扇太鼓の脚の背面図であって図５におけるＶＩ矢視図である。
【図７】本発明の実施形態に係る団扇太鼓の脚の底面図であって図３におけるＶＩＩ矢視図である。
【図８】本発明の実施形態に係る団扇太鼓の脚において、図１で示す状態から、一対の保持部が回動した状態を示す図である。
【図９】本発明の実施形態に係る団扇太鼓の脚における保持部の構成を示す断面図である。
【発明を実施するための形態】
【００１４】
本発明の実施形態に係る団扇太鼓の脚１は、図１や図９で示すように、団扇太鼓３に設置されて使用されるものであり、図２〜図８で示すように、基部５と第１の保持部７と第２の保持部９とを備えて構成されている。
【００１５】
第１の保持部７は、基部５の一端部で基部５に設けられており、基部５に対して、図３の紙面に直交する方向に延びている第１の軸Ｃ１まわりで所定の角度だけ回動自在になっている（図８も併せて参照）。
【００１６】
また、第１の保持部７は、図１で示すように、団扇太鼓３の外周部１１の所定の部位（第１の被保持部位）１１Ａを保持するようになっている。
【００１７】
第２の保持部９は、基部５の他端部で基部５に設けられており、基部５に対して、図３の紙面に直交する方向に延びている第２の軸Ｃ２まわりで所定の角度だけ回動自在になっている。なお、第２の軸Ｃ２は、第１の軸Ｃ１から所定の距離だけ離れており第１の軸Ｃ１と平行に延びている。
【００１８】
また、第２の保持部９は、図１で示すように、団扇太鼓３の外周部１１の他の所定の部位１１Ｂを保持するようになっている。所定の部位１１Ｂは、第１の被保持部位１１Ａから僅かに離れた第２の被保持部位であり、第１の被保持部位１１Ａに近接している。
【００１９】
団扇太鼓の脚１の各保持部７，９で団扇太鼓３を保持している状態を団扇太鼓３の厚さ方向からから見ると（図１の矢印Ｉ方向から見ると）、円形状の団扇太鼓３の外周部１１の一部（被保持部位１１Ａ，１１Ｂを含む一部の部位）が、各保持部７，９の一部と基部５の一部とによって覆われている。
【００２０】
団扇太鼓の脚１の各保持部７，９で団扇太鼓３を保持している状態を団扇太鼓３の厚さ方向からから見ると、団扇太鼓の脚１の他の部位（各保持部７，９の他の部位と基部５の他の部位）は、団扇太鼓３の外側に位置している。
【００２１】
また、団扇太鼓の脚１の各保持部７，９で団扇太鼓３を保持している状態を団扇太鼓３の厚さ方向からから見ると、第１の保持部７で保持している団扇太鼓３の第１の被保持部位１１Ａと第２の保持部９で保持している団扇太鼓３の第２の被保持部位１１Ｂとの間に、基部５が位置している。
【００２２】
第１の被保持部位１１Ａの中央と第２の被保持部位１１Ｂの中央との間の弧（団扇太鼓３の外周部１１の弧）の中心角α（図１参照）は、第１の被保持部位１１Ａと第２の被保持部位１１Ｂとがお互いに近接していることで、２５°程度になっている。なお、中心角αの値が、１５°〜３０°の範囲内になっていてもよいし、また、中心角αの値が、１０°〜６０°の範囲内になっていてもよいし、さらに、中心角αが鋭角になっていてもよい。
【００２３】
団扇太鼓の脚１の各保持部７，９で団扇太鼓３を保持している状態では、第１の軸Ｃ１および第２の軸Ｃ２は、団扇太鼓３の厚さ方向に延びており、団扇太鼓の脚１の各保持部７，９で団扇太鼓３を保持している状態を団扇太鼓の厚さ方向（図１の矢印Ｉ方向）から見ると、第１の軸Ｃ１および第２の軸Ｃ２は、団扇太鼓３の外側に位置しており、一対の中心軸Ｃ１，Ｃ２の間隔Ｌ１は、５０ｍｍ程度になっている。
【００２４】
また、団扇太鼓の脚１の各保持部７，９で団扇太鼓３を保持している状態を団扇太鼓３の厚さ方向からから見ると、各保持部７，９の保持している被保持部位１１Ａ，１１Ｂそれぞれの長さＬ２は、たとえば、２０ｍｍ程度になっており、外径（大径）Ｄ１が３３０ｍｍ程度である団扇太鼓３の外周部１１の全周（３３０ｍｍ×円周率）に対して十分に短くなっている。
【００２５】
団扇太鼓３は、円環体状（トーラス状；断面が小さな円形の棒材をリング状に形成した形状）の枠体１３と、この枠体１３に円板状になって張設されている革１５とで、外周部１１が外径（小径）Ｄ２（図９参照）の厚みになっており、外周部１１の内側が革１５の厚み（膜２３の厚み）になっている円板状に形成されている。
【００２６】
保持部７，９は、図９（ａ）で示すように、枠体１３のところを、枠体１３の外周を覆っている革１５の部位１７（被保持部位１１Ａ，１１Ｂ）を間に挟んで押圧することで、団扇太鼓３を保持するよう構成されている。
【００２７】
基部５には、各保持部７，９で団扇太鼓３を保持しているときに団扇太鼓３の外周部１１の所定の部位１１Ｃ（図１参照）が嵌り込むための溝１９（図２等参照）が設けられている。溝１９の幅Ｂ１の値は、外周部１１の外径（小径）Ｄ２の値と等しくなっている。
【００２８】
さらに詳しく説明すると、団扇太鼓３の枠体１３は、たとえば金属等の剛性の高い材料でトーラス状に形成されている。この枠体１３に円形状の革１５が張られていることで、枠体１３の内側には膜部２３が形成されている。膜部２３は、円形状になっており、枠体１３に張設されている革１５の一部で構成されている。
【００２９】
さらに説明すると、枠体１３に張られる前の革１５は、この直径（外径）が団扇太鼓３の外周部１１の大円の直径（外径）Ｄ１よりも大きい円形状に形成されている。枠体１３に革１５を張ることで、図１、図９等で示すように、革１５の円環状の外周の部位１７の全周が、枠体１３の全周を包み、革１５の円環状の外周の端２１（図９参照）が、革１５の膜部２３の部位（枠体１３の近傍における膜部２３の部位）に重なっている。この重なっている部位で革１５が縫製されている。
【００３０】
そして、膜部２３が叩かれる（打たれる）ことで音を発するようになっている。
【００３１】
基部５は、金属で構成されており、基部５を、この厚さ方向（中心軸Ｃ１，Ｃ２の延伸方向）から見ると、図３で示すように、上底および下底が左右方向（厚さ方向に対して直交する所定の一方向；図３の横方向）に延びているとともに、上底および下底が斜辺に比べてやや長い等脚台形状に形成されている。また、基部５は厚さ（図３の紙面に直交する方向の寸法）を備えていることで概ね直方体状に形成されている。基部５の厚さ方向の寸法は、上記等脚台形の高さ寸法程度になっている。
【００３２】
また、基部５には、切り欠き２５が設けられている。切り欠き２５は、厚さ方向では、基部５の中央部に設けられており、切り欠き２５の一部が溝１９を形成しており、切り欠き２５の厚さ方向の寸法の値は、溝１９の幅Ｂ１（図４参照）の値と等しくなっている。
【００３３】
基部５をこの厚さ方向から見ると、図３で示すように、切り欠き２５は、「コ」字状に形成されており、左右両側と、高さ方向（厚さ方向と左右方向とに対して直交する方向；図３の上下方向）の上側に位置している。さらに説明する、厚さ方向の中央部では、切り欠き２５が左右両端と上端とで（等脚台形の上底と一対の斜辺のところで）開口している。
【００３４】
第１の保持部７は、金属で構成されており、図９等で示すように、第１の爪部材２７と第２の爪部材２９とネジ部材３１とを備えて構成されている。第１の爪部材２７は、直方体状の第１の本体部３３と直方体状の係合部３５（図２、図４等参照）と半円弧状の凹部３７を備えた第１の爪部３９とを具備している。また、直方体状の第１の本体部３３には、直方体状の凹部（第１の爪部３９側に開口している凹部）４１が設けられている。
【００３５】
第１の保持部７を、基部５の場合と同様な厚さ方向から見ると、係合部３５が第１の本体部３３から右側に突出しており、この突出している係合部３５が、基部５の切り欠き２５の左側の部位に入り込んでいる。そして、円柱状のピン４３が基部５と係合部３５とを貫通していることで、第１の保持部７が基部５に対して軸Ｃ１を中心にして回動するようになっている（図３、図８参照）。
【００３６】
また、第１の保持部７を、基部５の場合と同様な厚さ方向から見ると、第１の保持部７の第１の本体部３３や第１の爪部３９は、基部５の左側に位置しており、高さ方向では、第１の本体部３３の上方に第１の爪部３９が位置している（図３、図９参照）。
【００３７】
ネジ部材３１は、図９等で示すように、オスネジ部４５と、第１の本体部３３に係合している２箇所の円柱状の係合部４７と、正四角柱状（正三角柱状や正六角柱状等の他、スパナ等の工具が係合する部位を備えた形状でもよい）に形成されている頭部４９を備えて構成されている。
【００３８】
ネジ部材３１が第１の爪部材２７に設置されている状態では、ネジ部材３１の係合部４７が第１の本体部３３に係合しており、ネジ部材３１は、第１の爪部材２７に対して、ネジ部材３１の中心軸（基部５の厚さ方向に延伸している中心軸；図９の左右方向に延伸している中心軸）まわりで回転運動のみをすることができるようになっている。
【００３９】
また、ネジ部材３１が第１の爪部材２７に設置されている状態では、ネジ部材３１のオスネジ部４５は、第１の本体部３３の直方体状の凹部４１内に位置している。ネジ部材３１の頭部４９は、第１の爪部３９が設けられている側とは反対側で第１の本体部３３から突出している。
【００４０】
なお、図９に示す形態では、オスネジ部４５の外径が係合部（図９の右側の係合部）４７の外径よりも大きくなっているので、ネジ部材３１を第１の爪部材２７に組み付けることができない。そこで、ネジ部材３１を第１の爪部材２７に組み付けるための切り欠き（図示せず）を、第１の本体部３３に設ける等の対応がなされている。
【００４１】
この対応の別の形態として、オスネジ部４５の外径と、右側の係合部４７の外径とを等しくする。さらに、右側の係合部４７の中間部（図９の左右方向における中間部）で、右側の係合部４７の一部の外径を、オスネジ部４５の外径よりも小さくする（小径部を形成する）。この小径部で形成された溝（右側の係合部４７の溝）に入り込むように、第１の本体部３３に円柱状のピン（たとえばロールピン）を一体で設ける。ロールピンの外径は、小径部の幅寸法（図９の左右方向では左右方向の寸法）と等しくなっている。また、上記ロールピンは、この中心軸が、図９のたとえば上下方向に延びているとともに、ネジ部材３１の中心軸に対してねじれの位置になっている。
【００４２】
これにより、ネジ部材３１を第１の爪部材２７に組み付けることができるとともに、ネジ部材３１が、第１の爪部材２７に対して、ネジ部材３１の中心軸まわりで回転運動のみをするようになる。
【００４３】
第２の爪部材２９は、図９等で示すように、直方体状の第２の本体部５１と半円弧状の凹部５３を備えた第２の爪部５５とを具備している。第２の爪部５５は、第１の爪部３９とほぼ同形状に形成されている。
【００４４】
第２の本体部５１には、メスネジ部５９が設けられている。第１の爪部材２７にネジ部材３１と第２の爪部材２９とが設置されている状態で、第１の保持部７が形成されている。
【００４５】
第１の保持部７では、第２の本体部５１が第１の本体部３３の直方体状の凹部４１内に位置しているとともに、第２の本体部５１のメスネジ部５９が、ネジ部材３１のオスネジ部４５に螺合している。
【００４６】
また、第１の保持部７では、第１の爪部３９の半円弧状の凹部３７と第２の爪部５５の半円弧状の凹部５３とがお互いに対向しており、ネジ部材３１が所定の一方向に回転することで、第１の爪部３９に対して第２の爪部５５が基部５の厚さ方向（図９の左右方向）で移動して第１の爪部３９接近し、ネジ部材３１が所定の反対の方向に回転することで、第１の爪部３９から第２の爪部５５が離れるようになっている。
【００４７】
なお、第１の爪部３９の半円弧状の凹部３７と第２の爪部５５の半円弧状の凹部５３との曲率半径は、団扇太鼓３の外周部１１の曲率半径（外周部１１の小円の半径）よりも僅かに大きくなっている。
【００４８】
これにより、第１の保持部７で団扇太鼓３を保持したときには、第１の爪部３９の半円弧状の凹部３７の底の中央部と、第２の爪部５５の半円弧状の凹部５３の底の中央部とが、団扇太鼓３の外周部１１（１１Ａ，１１Ｂ）に接して、外周部１１を膜部２３の厚さ方向と同じ方向で押圧する。なお、第１の爪部３９の他の部位および第２の爪部５５の他の部位は、団扇太鼓３の外周部１１や団扇太鼓３の膜部２３から離れている。
【００４９】
なお、第２の保持部９は、第１の保持部７と同様に構成されており、団扇太鼓の脚１では、中心面に対して、第２の保持部９は第１の保持部７と左右対称に形成されている。中心面とは、基部５の横方向（図３の左右方向）に対して直交する平面であって基部５の中心を含む面である。
【００５０】
次に、団扇太鼓の脚１の団扇太鼓３への設置について説明する。
【００５１】
初期状態として、図９（ｂ）で示すように、第２の爪部５５が第１の爪部３９から十分に離れており、図８で示すように、第１の保持部７と基部５と第２の保持部９とが左右方向で一直線状にならんでいるものとする。
【００５２】
上記初期状態において、第１の保持部７と第２の保持部９とを、団扇太鼓３の外周部１１の曲率に合うように、基部５に対して適宜回動して位置決めする（図３等参照）。
【００５３】
続いて、団扇太鼓３の外周部１１の部位１１Ｃ，１１Ａ，１１Ｂを、基部５の溝１９内、第１の保持部７の第１の爪部３９と第２の爪部５５との間、および、第２の保持部９の第１の爪部３９と第２の爪部５５との間に入れる。このとき、革１５の外周の端２１（団扇太鼓３の裏面側）がネジ部材３１の頭部４９側に位置している。
【００５４】
続いて、ネジ部材３１を回して、各保持部７，９において、第１の爪部３９と第２の爪部５５とで外周部１１の各部位１１Ａ，１１Ｂを締め付ける（図９（ａ）参照）。これにより、団扇太鼓の脚１の団扇太鼓３への設置が完了する。
【００５５】
なお、団扇太鼓の脚１では、基部５の中央部であって溝１９が形成されている側とは反対側からは、円柱状の突起５７が下方に突出している。
【００５６】
団扇太鼓の脚１が設置された団扇太鼓３を使用するときには、団扇太鼓３を叩く者がこの円柱状の突起５７を持って団扇太鼓３が支えるのであるが、円柱状の突起５７を介して、団扇太鼓の脚１が設置された団扇太鼓３を他の支持具に設置し、団扇太鼓３を支えてもよい。
【００５７】
なお、団扇太鼓３を叩いて音を出すときには、団扇太鼓３の裏面（革１５の外周の端２１が存在している面）とは反対側の表面が奏者の側を向いている。
【００５８】
団扇太鼓の脚１によれば、基部５と第１の保持部７と第２の保持部９とを備え、各保持部７，９が基部５の両端部で基部５に対して回動自在になっているので、円板状の団扇太鼓３の外径Ｄ１に応じ、各保持部７，９を基部５に対して適宜回動させれば、各保持部７，９と基部５とを円板状の団扇太鼓３の外周に沿わせて配置することができ、団扇太鼓３の外径Ｄ１が変わっても、団扇太鼓３の外周部１１の２箇所（お互いが、円板状の団扇太鼓３の外周部１１の周方向で僅かに離れている２箇所）１１Ａ，１１Ｂを、各保持部７，９で保持することができる。
【００５９】
また、団扇太鼓の脚１によれば、各保持部７，９が、枠体１３の外周を覆っている革１５の部位を間に挟んで枠体１３のみを押圧することで、団扇太鼓３を保持するので、団扇太鼓の脚１が団扇太鼓３を保持している状態では、各保持部７，９が団扇太鼓３の円形状の膜部２３から離れており、この状態で団扇太鼓３をたたいても、団扇太鼓３の音色が悪化することがない。
【００６０】
また、団扇太鼓の脚１によれば、基部５の溝１９に、各保持部７，９で団扇太鼓３を保持しているときに団扇太鼓３の外周部１１の所定の部位（各保持部７，９で保持されている一対の被保持部１１Ａ１１Ｂの間の部位）１１Ｃが嵌り込むので、団扇太鼓３をこの外周に沿ったお互いが離れている３か所で支持することができ、より強固に団扇太鼓３を保持することができる。そして、団扇太鼓３を強く叩いても、団扇太鼓の脚１が団扇太鼓３からずれてしまう等の不具合の発生が回避される。
【符号の説明】
【００６１】
１  団扇太鼓の脚
３  団扇太鼓
５  基部
７  第１の保持部
９  第２の保持部
１１  外周部
１３  枠体
１５  革
１９  溝
Ｃ１、Ｃ２  回動中心軸
【図１】
0006616623.tif 000002
【図２】
0006616623.tif 000003
【図３】
0006616623.tif 000004
【図４】
0006616623.tif 000005
【図５】
0006616623.tif 000006
【図６】
0006616623.tif 000007
【図７】
0006616623.tif 000008
【図８】
0006616623.tif 000009
【図９】
0006616623.tif 000010